【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
無線ビーコンを同報するアクセス・ポイントのための文字セットを識別する文字セット情報を検索することと、前記無線ビーコンは、前記アクセス・ポイントに関するサービス・セット識別を備える、
前記文字セット情報を符号化するために前記サービス・セット識別に関連する前記無線ビーコンにおいて、少なくとも１つのフィールドを識別することと、
前記文字セットを表示するために前記無線ビーコンを受信する１つ以上の無線局によって復号するための、前記無線ビーコンの前記少なくとも１つのフィールドにおいて、前記文字セット情報を組み込むことと、
を備える、文字セット情報を符号化する方法。
【請求項２】
前記文字セット情報を組み込むことは、前記サービス・セット識別に関する情報要素の特定のフィールドにおいて前記文字セット情報を組み込むことを備える、請求項１に記載の方法。
【請求項３】
前記文字セット情報を組み込むことは、前記サービス・セット識別に関する前記情報要素の専用の符号化フィールドにおいて前記文字セット情報を組み込むことを備える、請求項２に記載の方法。
【請求項４】
前記文字セット情報を組み込むことは、前記サービス・セット識別に関する前記情報要素の長さフィールドのビットの特定のサブセットにおいて前記文字セット情報を組み込むことを備える、請求項２に記載の方法。
【請求項５】
前記文字セット情報を組み込むことは、ベンダー独自の情報要素において前記文字セット情報を組み込むことを備える、請求項１に記載の方法。
【請求項６】
前記アクセス・ポイントへの接続を確立するために、少なくとも１つの局から認証フレームを受信することをさらに備える、請求項１に記載の方法。
【請求項７】
無線ビーコンを同報するアクセス・ポイントに関する文字セットを識別する文字セット情報を検索するための手段と、前記無線ビーコンは、前記アクセス・ポイントに関するサービス・セット識別を備える、
前記文字セット情報を符号化するために前記サービス・セット識別に関連する前記無線ビーコンにおいて少なくとも１つのフィールドを識別するための手段と、
前記文字セットを表示するために前記無線ビーコンを受信する少なくとも１つの無線局によって復号するために前記無線ビーコンの前記少なくとも１つのフィールドにおいて前記文字セット情報を組み込むための手段と、
を備える、無線システム。
【請求項８】
アクセス・ポイントによって同報される無線ビーコンにおいて前記アクセス・ポイントに関する文字セットを識別する文字セット情報を位置付けることと、前記無線ビーコンは、前記文字セットにおいて符号化された前記アクセス・ポイントに関するサービス・セット識別を備える、
前記文字セット情報に基づいて前記アクセス・ポイントによって同報される前記サービス・セット識別を復号することと、
ネットワーク接続を選択するために前記無線ビーコンを受信する少なくとも１つの局のユーザに、前記サービス・セット識別を与えることと、
を備える、文字セット情報を復号する方法。
【請求項９】
前記文字セット情報を位置付けることは、前記サービス・セット識別に関する情報要素の特定のフィールドから前記文字セット情報を取り出すことを備える、請求項８に記載の方法。
【請求項１０】
前記文字セット情報を位置付けることは、前記サービス・セット識別に関する前記情報要素の専用の符号化フィールドから前記文字セット情報を取り出すことを備える、請求項９に記載の方法。
【請求項１１】
前記文字セット情報を位置付けることは、前記サービス・セット識別に関する前記情報要素の長さフィールドのビットの特定のサブセットから前記文字セット情報を取り出すことを備える、請求項９に記載の方法。
【請求項１２】
前記文字セット情報を位置付けることは、ベンダー独自の情報要素から前記文字セット情報を取り出すことを備える、請求項８に記載の方法。
【請求項１３】
前記アクセス・ポイントへの接続を確立するために、少なくとも１つの局から認証フレームを送信することをさらに備える、請求項８に記載の方法。
【請求項１４】
無線局であって、
アクセス・ポイントによって同報される無線ビーコンにおいて前記アクセス・ポイントに関する文字セットを識別する文字セット情報を位置付けるための手段と、前記無線ビーコンは、前記文字セットにおいて符号化された前記アクセス・ポイントに関するサービス・セット識別を備える、
前記文字セット情報に基づいて前記アクセス・ポイントによって同報される前記サービス・セット識別を復号するための手段と、
ネットワーク接続を選択するために前記無線局のユーザに前記サービス・セット識別を与えるための手段と、
を備える、無線局。
【請求項１５】
コンピュータに、請求項１乃至６および／または請求項８乃至１３のうちのいずれかにしたがって方法を実行させるための少なくとも１つの命令を備えるコンピュータ可読媒体
を備える、コンピュータ・プログラム製品。
【手続補正２】
【補正対象書類名】明細書
【補正対象項目名】００３３
【補正方法】変更
【補正の内容】
【００３３】
[0038]  前述の説明は、例示的なものであり、当業者には、構成および実装における変形例が思いつくだろう。例えば、特定の言語、例えば中国語、インド語、スペイン語への符号化が実行される実施形態が説明されると、いかなる所望の文字セット、言語、および／または、記号的なスキームへの符号化が実行されることができることが、理解されるだろう。同様に、１つのアクセス・ポイント１０８が局のセット１０２に同報する実施形態が説明されているのに対し、いくつかの実施形態では、複数のアクセス・ポイント１０８が、１つの、または複数のスマートフォン、または他の局１１８、および／または局のセット１０２に同報することができる。単一のもの、または統一されたものとして説明されている他のリソースは、いくつかの実施形態では、複数のもの、または分散されたものであることができ、複数のもの、または分散されたものとして説明されているリソースは、いくつかの実施形態では、組み合されることができる。本教示の範囲は、従って、以下の請求項によってのみ制限されるように意図されている。
以下に、本願出願の当初の特許請求の範囲に記載された発明を付記する。
［書類名］特許請求の範囲
［Ｃ１］
無線ビーコンを同報するアクセス・ポイントのための文字セットを識別する文字セット情報を検索することと、前記無線ビーコンは、前記アクセス・ポイントに関するサービス・セット識別を備える、
前記文字セット情報を符号化するために前記サービス・セット識別に関連する前記無線ビーコンにおいて、少なくとも１つのフィールドを識別することと、
前記文字セットを表示するために前記無線ビーコンを受信する１つ以上の無線局によって復号するための、前記無線ビーコンの前記少なくとも１つのフィールドにおいて、前記文字セット情報を組み込むことと、を備える、文字セット情報を符号化する方法。
［Ｃ２］
前記文字セット情報を組み込むことは、前記サービス・セット識別に関する情報要素の特定のフィールドにおいて前記文字セット情報を組み込むことを備える、Ｃ１に記載の方法。
［Ｃ３］
前記文字セット情報を組み込むことは、前記サービス・セット識別に関する前記情報要素の専用の符号化フィールドにおいて前記文字セット情報を組み込むことを備える、Ｃ２に記載の方法。
［Ｃ４］
前記文字セット情報を組み込むことは、前記サービス・セット識別に関する前記情報要素の長さフィールドのビットの特定のサブセットにおいて前記文字セット情報を組み込むことを備える、Ｃ２に記載の方法。
［Ｃ５］
前記文字セット情報を組み込むことは、ベンダー独自の情報要素において前記文字セット情報を組み込むことを備える、Ｃ１に記載の方法。
［Ｃ６］
前記ベンダー独自の情報要素は、少なくとも要素ＩＤフィールド、長さフィールド、組織的に固有の識別子フィールド、バージョン・フィールド、およびシスコ・コンパティブル・タイプのエクステンション・バージョン・フィールドを備える、Ｃ５に記載の方法。
［Ｃ７］
前記ベンダー独自の情報要素は、少なくとも要素ＩＤフィールド、長さフィールド、組織的に固有の識別子フィールド、およびデータ・フィールドを備える、Ｃ５に記載の方法。
［Ｃ８］
前記アクセス・ポイントは、無線ルータを備える、Ｃ１に記載の方法。
［Ｃ９］
前記無線ルータは、ＷｉＦｉデバイスを備える、Ｃ８に記載の方法。
［Ｃ１０］
前記アクセス・ポイントへの接続を確立するために、少なくとも１つの局から認証フレームを受信することをさらに備える、Ｃ１に記載の方法。
［Ｃ１１］
アクセス・ポイントの無線の範囲における少なくとも１つの無線局への無線インターフェースと、
前記無線インターフェースを介して少なくとも１つの局と通信するプロセッサとを備える無線システムであって、前記プロセッサは、
前記アクセス・ポイントに関する文字セットを識別する文字セット情報を検索することと、前記アクセス・ポイントは、無線ビーコンを同報するように構成されており、前記無線ビーコンは、前記アクセス・ポイントに関するサービス・セット識別を備える、
前記文字セット情報を符号化するために、前記サービス・セット識別に関連する前記無線ビーコンにおいて少なくとも１つのフィールドを識別することと、
前記文字セットを表示するために前記無線ビーコンを受信する少なくとも１つの無線局によって復号するために、前記無線ビーコンの前記少なくとも１つのフィールドにおいて前記文字セット情報を組み込むことと、を行うように構成されている、無線システム。
［Ｃ１２］
前記文字セット情報を組み込むことは、前記サービス・セット識別に関する情報要素の特定のフィールドにおいて前記文字セット情報を組み込むことを備える、Ｃ１１に記載のシステム。
［Ｃ１３］
前記文字セット情報を組み込むことは、前記サービス・セット識別に関する前記情報要素の専用の符号化フィールドにおいて前記文字セット情報を組み込むことを備える、Ｃ１２に記載のシステム。
［Ｃ１４］
前記文字セット情報を組み込むことは、前記サービス・セット識別に関する前記情報要素の長さフィールドのビットの特定のサブセットにおいて前記文字セット情報を組み込むことを備える、Ｃ１２に記載のシステム。
［Ｃ１５］
前記文字セット情報を組み込むことは、ベンダー独自の情報要素において前記文字セット情報を組み込むことを備える、Ｃ１１に記載のシステム。
［Ｃ１６］
前記ベンダー独自の情報要素は、少なくとも要素ＩＤフィールド、長さフィールド、組織的に固有の識別子フィールド、バージョン・フィールド、シスコ・コンパティブル・タイプのエクステンション・バーション・フィールドを備える、Ｃ１５に記載のシステム。
［Ｃ１７］
前記ベンダー独自の情報要素は、少なくとも要素ＩＤフィールド、長さフィールド、組織的に固有の識別子フィールド、およびデータ・フィールドを備える、Ｃ１５に記載のシステム。
［Ｃ１８］
前記アクセス・ポイントは、無線ルータを備える、Ｃ１１に記載のシステム。
［Ｃ１９］
前記無線ルータは、ＷｉＦｉデバイスを備える、Ｃ１８に記載のシステム。
［Ｃ２０］
前記プロセッサは、前記アクセス・ポイントへの接続を確立するために、少なくとも１つの無線局から認証フレームを受信するようにさらに構成されている、Ｃ１１に記載のシステム。
［Ｃ２１］
アクセス・ポイント手段の無線の範囲における少なくとも１つの無線局手段への無線インターフェース手段と、
前記無線インターフェース手段を介して少なくとも１つの局と通信するプロセッサ手段とを備える無線システムであって、前記プロセッサ手段は、
前記アクセス・ポイント手段に関する文字セットを識別する文字セット情報を検索することと、前記アクセス・ポイント手段は、無線ビーコンを同報するように構成されており、前記無線ビーコンは、前記アクセス・ポイント手段に関するサービス・セット識別を備える、
前記文字セット情報を符号化するために前記サービス・セット識別に関連する前記無線ビーコンにおいて少なくとも１つのフィールドを識別することと、
前記文字セットを表示するために前記無線ビーコンを受信する少なくとも１つの無線局手段によって復号するために前記無線ビーコンの前記少なくとも１つのフィールドにおいて前記文字セット情報を組み込むことと、を行うように構成されている、無線システム。
［Ｃ２２］
前記文字セット情報を組み込むことは、前記サービス・セット識別に関する情報要素の特定のフィールドにおいて前記文字セット情報を組み込むことを備える、Ｃ２１に記載のシステム。
［Ｃ２３］
前記文字セット情報を組み込むことは、前記サービス・セット識別に関する前記情報要素の専用の符号化フィールドにおいて前記文字セット情報を組み込むことを備える、Ｃ２２に記載のシステム。
［Ｃ２４］
前記文字セット情報を組み込むことは、前記サービス・セット識別に関する前記情報要素の長さフィールドのビットの特定のサブセットにおいて前記文字セット情報を組み込むことを備える、Ｃ２２に記載のシステム。
［Ｃ２５］
前記文字セット情報を組み込むことは、ベンダー独自の情報要素において前記文字セット情報を組み込むことを備える、Ｃ２１に記載のシステム。
［Ｃ２６］
ベンダー独自の情報要素は、少なくとも要素ＩＤフィールド、長さフィールド、組織的に固有の識別子フィールド、およびバージョン・フィールド、およびシスコ・コンパティブル・タイプのエクステンション・バージョン・フィールドを備える、Ｃ２５に記載のシステム。
［Ｃ２７］
前記ベンダー独自の情報要素は、少なくとも要素ＩＤフィールド、長さフィールド、組織的に固有の識別子フィールド、およびデータ・フィールドを備える、Ｃ２５のシステム。
［Ｃ２８］
前記アクセス・ポイント手段は、無線ルータ手段を備える、Ｃ２１のシステム。
［Ｃ２９］
前記無線ルータ手段は、ＷｉＦｉデバイス手段を備える、Ｃ２８に記載のシステム。
［Ｃ３０］
前記プロセッサ手段は、前記アクセス・ポイント手段への接続を確立するために、少なくとも１つの無線局手段から認証フレームを受信するようにさらに構成されている、Ｃ２１に記載のシステム。
［Ｃ３１］
コンピュータに、無線ビーコンを同報するアクセス・ポイントに関する文字セットを識別する文字セット情報を検索させるための、少なくとも１つの命令と、前記無線ビーコンは、前記アクセス・ポイントに関するサービス・セット識別を備える、
コンピュータに、前記文字セット情報を符号化するために前記サービス・セット識別に関連する前記無線ビーコンにおいて少なくとも１つのフィールドを識別させるための、少なくとも１つの命令と、
コンピュータに、前記文字セットを表示するように前記無線ビーコンを受信する１つ以上の無線局によって復号するために前記無線ビーコンの前記少なくとも１つのフィールドにおいて前記文字セット情報を組み込ませるための、少なくとも１つの命令と、を備える、コンピュータ可読媒体、を備えるコンピュータ・プログラム製品。
［Ｃ３２］
前記文字セット情報を組み込むことは、前記サービス・セット識別に関する情報要素の特定のフィールドにおいて前記文字セット情報を組み込むことを備える、Ｃ３１に記載のコンピュータ・プログラム製品。
［Ｃ３３］
前記文字セット情報を組み込むことは、前記サービス・セット識別に関する前記情報要素の専用の符号化フィールドにおいて前記文字セット情報を組み込むことを備える、Ｃ３２に記載の方法。
［Ｃ３４］
前記文字セット情報を組み込むことは、前記サービス・セット識別に関する前記情報要素の長さフィールドのビットの特定のサブセットにおいて前記文字セット情報を組み込むことを備える、Ｃ３２に記載のコンピュータ・プログラム製品。
［Ｃ３５］
前記文字セット情報を組み込むことは、ベンダー独自の情報要素において前記文字セット情報を組み込むことを備える、Ｃ３１に記載のコンピュータ・プログラム製品。
［Ｃ３６］
前記ベンダー独自の情報要素は、少なくとも要素ＩＤフィールド、長さフィールド、組織的に固有の識別子フィールド、バージョン・フィールド、シスコ・コンパティブル・タイプのエクステンション・バージョン・フィールドを備える、Ｃ３５に記載のコンピュータ・プログラム製品。
［Ｃ３７］
前記ベンダー独自の情報要素は、少なくとも要素ＩＤフィールド、長さフィールド、組織的に固有の識別子フィールド、およびデータ・フィールドを備える、Ｃ３５に記載のコンピュータ・プログラム製品。
［Ｃ３８］
前記アクセス・ポイントは、無線ルータを備える、Ｃ３１に記載のコンピュータ・プログラム製品。
［Ｃ３９］
前記無線ルータは、ＷｉＦｉデバイスを備える、Ｃ３８に記載のコンピュータ・プログラム製品。
［Ｃ４０］
コンピュータに、前記アクセス・ポイントへの接続を確立するために少なくとも１つの局から認証フレームを受信させるための少なくとも１つの命令をさらに備える、Ｃ１に記載のコンピュータ・プログラム製品。
［Ｃ４１］
アクセス・ポイントによって同報される無線ビーコンにおいて前記アクセス・ポイントに関する文字セットを識別する文字セット情報を位置付けることと、前記無線ビーコンは、前記文字セットにおいて符号化された前記アクセス・ポイントに関するサービス・セット識別を備える、
前記文字セット情報に基づいて前記アクセス・ポイントによって同報される前記サービス・セット識別を復号することと、
ネットワーク接続を選択するために前記無線ビーコンを受信する少なくとも１つの局のユーザに、前記サービス・セット識別を与えることと、を備える、文字セット情報を復号する方法。
［Ｃ４２］
前記文字セット情報を位置付けることは、前記サービス・セット識別に関する情報要素の特定のフィールドから前記文字セット情報を取り出すことを備える、Ｃ４１に記載の方法。
［Ｃ４３］
前記文字セット情報を位置付けることは、前記サービス・セット識別に関する前記情報要素の専用の符号化フィールドから前記文字セット情報を取り出すことを備える、Ｃ４２に記載の方法。
［Ｃ４４］
前記文字セット情報を位置付けることは、前記サービス・セット識別に関する前記情報要素の長さフィールドのビットの特定のサブセットから前記文字セット情報を取り出すことを備える、Ｃ４２に記載の方法。
［Ｃ４５］
前記文字セット情報を位置付けることは、ベンダー独自の情報要素から前記文字セット情報を取り出すことを備える、Ｃ４１に記載の方法。
［Ｃ４６］
前記ベンダー独自の情報要素は、少なくとも要素ＩＤフィールド、長さフィールド、組織的に固有の識別子フィールド、バージョン・フィールド、およびシスコ・コンパティブル・タイプのエクステンション・フィールドを備える、Ｃ４５に記載の方法。
［Ｃ４７］
前記ベンダー独自の情報要素は、少なくとも要素ＩＤフィールド、長さフィールド、組織的に固有の識別子フィールド、およびデータ・フィールドを備える、Ｃ４５に記載の方法。
［Ｃ４８］
前記アクセス・ポイントは、無線ルータを備える、Ｃ４１に記載の方法。
［Ｃ４９］
前記無線ルータは、ＷｉＦｉデバイスを備える、Ｃ４８に記載の方法。
［Ｃ５０］
前記アクセス・ポイントへの接続を確立するために、少なくとも１つの局から認証フレームを送信することをさらに備える、Ｃ４１に記載の方法。
［Ｃ５１］
無線局の無線の範囲における少なくとも１つの無線アクセス・ポイントへの無線インターフェースと、
前記無線インターフェースを介して前記少なくとも１つの無線アクセス・ポイントと通信するプロセッサと、を備える無線局であって、前記プロセッサは、
前記アクセス・ポイントによって同報される無線ビーコンにおいて前記アクセス・ポイントに関する文字セットを識別する文字セット情報を位置付けることと、前記無線ビーコンは、前記文字セットにおいて符号化された前記アクセス・ポイントに関するサービス・セット識別を備える、
前記文字セット情報に基づいて前記アクセス・ポイントによって同報される前記サービス・セット識別を復号することと、
ネットワーク接続を選択するために前記無線局のユーザに前記サービス・セット識別を与えることと、を行うように構成されている、無線局。
［Ｃ５２］
前記文字セット情報を位置付けることは、前記サービス・セット識別に関する情報要素の特定のフィールドから前記文字セット情報を取り出すことを備える、Ｃ５１に記載の無線局。
［Ｃ５３］
前記文字セット情報を位置付けることは、前記サービス・セット識別に関する前記情報要素の専用の符号化フィールドから前記文字セット情報を取り出すことを備える、Ｃ５２に記載の無線局。
［Ｃ５４］
前記文字セット情報を位置付けることは、前記サービス・セット識別に関する前記情報要素の長さフィールドのビットの特定のサブセットから前記文字セット情報を取り出すことを備える、Ｃ５２に記載の無線局。
［Ｃ５５］
前記文字セット情報を位置付けることは、ベンダー独自の情報要素から前記文字セット情報を取り出すことを備える、Ｃ５１に記載の無線局。
［Ｃ５６］
前記ベンダー独自の情報要素は、少なくとも要素ＩＤフィールド、長さフィールド、組織的に固有の識別フィールド、バージョン・フィールド、およびシスコ・コンパティブル・タイプのエクステンション・バージョン・フィールドを備える、Ｃ５５に記載の無線局。
［Ｃ５７］
前記ベンダー独自の情報要素は、少なくとも要素ＩＤフィールド、長さフィールド、組織的に固有の識別フィールド、およびデータ・フィールドを備える、Ｃ５５に記載の無線局。
［Ｃ５８］
前記アクセス・ポイントは、無線ルータを備える、Ｃ５１に記載の無線局。
［Ｃ５９］
前記無線ルータは、ＷｉＦｉデバイスを備える、Ｃ５８に記載の無線局。
［Ｃ６０］
前記プロセッサは、前記アクセス・ポイントへの接続を確立するために、前記無線局から認証フレームを送信するようにさらに構成されている、Ｃ５１に記載の無線局。
［Ｃ６１］
無線局手段の無線の範囲における少なくとも１つの無線アクセス・ポイントへの無線インターフェース手段と、
前記無線インターフェース手段を介して少なくとも１つのアクセス・ポイント手段と通信するプロセッサ手段と、を備える無線局であって、前記プロセッサ手段は、
前記アクセス・ポイント手段によって同報される無線ビーコンにおいて前記アクセス・ポイントに関する文字セットを識別する文字セット情報を位置付けることと、前記無線ビーコンは、前記文字セットにおいて符号化された前記アクセス・ポイント手段に関するサービス・セット識別を備える、
前記文字セット情報に基づいて前記アクセス・ポイント手段によって同報される前記サービス・セット識別を復号することと、
ネットワーク接続を選択するために前記無線局手段のユーザに前記サービス・セット識別を与えることと、を行うように構成されている、無線局。
［Ｃ６２］
前記文字セット情報を位置付けることは、前記サービス・セット識別に関する情報要素の特定のフィールドから前記文字セット情報を取り出すことを備える、Ｃ６１に記載の無線局。
［Ｃ６３］
前記文字セット情報を位置付けることは、前記サービス・セット識別に関する前記情報要素の専用の符号化フィールドから前記文字セット情報を取り出すことを備える、Ｃ６２に記載の無線局。
［Ｃ６４］
前記文字セット情報を位置付けることは、前記サービス・セット識別に関する前記情報要素の長さフィールドのビットの特定のサブセットから前記文字セット情報を取り出すことを備える、Ｃ６２に記載の無線局。
［Ｃ６５］
前記文字セット情報を位置付けることは、ベンダー独自の情報要素から前記文字セット情報を取り出すことを備える、Ｃ６１に記載の無線局。
［Ｃ６６］
前記ベンダー独自の情報要素は、少なくとも要素ＩＤフィールド、長さフィールド、組織的に固有の識別フィールド、バージョン・フィールド、およびシスコ・コンパティブル・タイプのエクステンション・バージョン・フィールドを備える、Ｃ６５に記載の無線局。
［Ｃ６７］
前記ベンダー独自の情報要素は、少なくとも要素ＩＤフィールド、長さフィールド、組織的に固有の識別フィールド、およびデータ・フィールドを備える、Ｃ６５に記載の無線局。
［Ｃ６８］
前記アクセス・ポイント手段は、無線ルータ手段を備える、Ｃ６１に記載の無線局。
［Ｃ６９］
前記無線ルータ手段は、ＷｉＦｉデバイス手段を備える、Ｃ６８に記載の無線局。
［Ｃ７０］
前記プロセッサ手段は、前記アクセス・ポイント手段への接続を確立するために前記無線局から認証フレームを送信するようにさらに構成されている、Ｃ６１に記載の無線局。
［Ｃ７１］
コンピュータに、アクセス・ポイントによって同報される無線ビーコンにおける前記アクセス・ポイントに関する文字セットを識別する文字セット情報を位置付けさせるための少なくとも１つの命令と、前記無線ビーコンは、前記文字セットにおいて符号化された前記アクセス・ポイントに関するサービス・セット識別を備える、
コンピュータに、前記文字セット情報に基づいて前記アクセス・ポイントによって同報される前記サービス・セット識別を復号させるための少なくとも１つの命令と、
コンピュータに、ネットワーク接続を選択するために前記無線ビーコンを受信する少なくとも１つの局のユーザに前記サービス・セット識別を与えさせるための少なくとも１つの命令と、を備えるコンピュータ可読媒体、を備えるコンピュータ・プログラム製品。
［Ｃ７２］
前記文字セット情報を位置付けることは、前記サービス・セット識別に関する情報要素の特定のフィールドから前記文字セット情報を取り出すことを備える、Ｃ７１に記載のコンピュータ・プログラム製品。
［Ｃ７３］
前記文字セット情報を位置付けることは、前記サービス・セット識別に関する前記情報要素の専用の符号化フィールドから前記文字セット情報を取り出すことを備える、Ｃ７２に記載のコンピュータ・プログラム製品。
［Ｃ７４］
前記文字セット情報を位置付けることは、前記サービス・セット識別に関する前記情報要素の長さフィールドのビットの特定のサブセットから前記文字セット情報を取り出すことを備える、Ｃ７２に記載のコンピュータ・プログラム製品。
［Ｃ７５］
前記文字セット情報を位置付けることは、ベンダー独自の情報要素から前記文字セット情報を取り出すことを備える、Ｃ７１に記載のコンピュータ・プログラム製品。
［Ｃ７６］
前記ベンダー独自の情報要素は、少なくとも要素ＩＤフィールド、長さフィールド、組織的に固有の識別フィールド、バージョン・フィールド、およびシスコ・コンパティブル・タイプのエクステンション・バージョン・フィールドを備える、Ｃ７５に記載のコンピュータ・プログラム製品。
［Ｃ７７］
前記ベンダー独自の情報要素は、少なくとも要素ＩＤフィールド、長さフィールド、組織的に固有の識別フィールド、およびデータ・フィールドを備える、Ｃ７５に記載のコンピュータ・プログラム製品。
［Ｃ７８］
前記アクセス・ポイントは、無線ルータを備える、Ｃ７１に記載のコンピュータ・プログラム製品。
［Ｃ７９］
前記無線ルータは、ＷｉＦｉデバイスを備える、Ｃ７８に記載のコンピュータ・プログラム製品。
［Ｃ８０］
コンピュータに、前記アクセス・ポイントへの接続を確立するために少なくとも１つの局から認証フレームを送信させるための少なくとも１つの命令をさらに備える、Ｃ７１に記載のコンピュータ・プログラム製品。